(57)【特許請求の範囲】
【請求項１】
透光性を有する遊技盤の表面に導電性の遊技釘を植設して遊技球が流下する遊技領域を形成するとともに、該遊技盤の後方に画像表示装置を配設して該遊技盤を透かして画像を表示するようにした遊技機において、
遊技に関わる遊技装置の電気部品を前記遊技盤裏面に配設し、
前記遊技釘を前記遊技盤に形成された貫通孔に対して植設し、
前記遊技釘は、本体部の径よりも大きい外径で構成されて螺旋状の溝が形成された螺旋部を備え、
前記螺旋部よりも先端方向に当該螺旋部の外径よりも小径の先端部を形成し、該先端部を絶縁手段により電気的に絶縁し、
前記螺旋部に、前記遊技釘の円周方向に沿ってリング状の溝部を形成したことを特徴とする遊技機。
【請求項２】
前記先端部を曲面形状に構成したことを特徴とする請求項１に記載の遊技機。
【請求項３】
前記貫通孔に対する遊技釘の打ち込み深さを規制する打込規制部を前記遊技釘に形成したことを特徴とする請求項１又は２に記載の遊技機。
【発明の詳細な説明】
【技術分野】
【０００１】
本発明は、透光性を有する遊技盤の表面に導電性の遊技釘を植設して遊技球が流下する遊技領域を形成するとともに、該遊技盤の後方に画像表示装置を配設して該遊技盤を透かして画像を表示するようにした遊技機に関する。
【背景技術】
【０００２】
従来、木製の合板に遊技釘を打ち込んで遊技盤を構成し、該遊技盤に向けて遊技球を発射することで遊技を行う遊技機が知られている。木製の遊技盤においては、遊技盤表面に形成された位置決め凹部に対して遊技釘を打ち込むことで植設されていたが、この際に遊技釘は遊技盤内をねじ切って切削しながら打ち込まれるので遊技釘は一定の保持力により保持されることとなっていた。
【０００３】
近年においては、遊技盤の本体を合成樹脂で構成したものが考えられているが、合成樹脂製の遊技盤の場合、そのまま金属製の遊技釘を打ち込むと本体にクラック等が発生する可能性があることから、予め遊技盤の前後に貫通する貫通孔を形成しておき、その孔に螺旋状の溝が形成された遊技釘を打ち込むようになっている（例えば、特許文献１参照）。また、透明合成樹脂製の遊技盤の後方に可動部材と該可動部材を作動させる電気的駆動源を設けるようにした遊技機も考えられている（例えば、特許文献２参照）。
【特許文献１】特開２００５−２０４８６２号公報
【特許文献２】特開２００５−１３１２９９号公報
【発明の開示】
【発明が解決しようとする課題】
【０００４】
遊技球は島設備から供給されて、遊技機の発射装置から発射されて遊技領域を流下するが、その間に静電気が帯電しやすい。また、遊技盤を合成樹脂で成型するようにすると、金属製の遊技球が合成樹脂へ接触する頻度が増し更に静電気が帯電しやすくなってしまう。このような静電気が帯電した遊技球は遊技領域を流下する間に、金属製の遊技釘に衝突することとなるが、従来の遊技機の場合、遊技釘を植設している孔が貫通孔となっているため、静電気が遊技釘を通って遊技盤の後方に伝わり、遊技盤後方に配設されている電気的駆動源に悪影響を及ぼし、故障の原因となっている。
【０００５】
本発明の目的は、透光性を有する遊技盤の表面に導電性の遊技釘を植設して遊技球が流下する遊技領域を形成するとともに、該遊技盤の後方に画像表示装置を配設して該遊技盤を透かして画像を表示するようにした遊技機において、遊技盤裏面の電気部品や画像表示装置の静電気による不具合を防止することである。
【課題を解決するための手段】
【０００６】
以上の課題を解決するため、請求項１に記載の発明は、透光性を有する遊技盤の表面に導電性の遊技釘を植設して遊技球が流下する遊技領域を形成するとともに、該遊技盤の後方に画像表示装置を配設して該遊技盤を透かして画像を表示するようにした遊技機において、
遊技に関わる遊技装置の電気部品を前記遊技盤裏面に配設し、
前記遊技釘を前記遊技盤に形成された貫通孔に対して植設し、
前記遊技釘は、本体部の径よりも大きい外径で構成されて螺旋状の溝が形成された螺旋部を備え、
前記螺旋部よりも先端方向に当該螺旋部の外径よりも小径の先端部を形成し、該先端部を絶縁手段により電気的に絶縁し、
前記螺旋部に、前記遊技釘の円周方向に沿ってリング状の溝部を形成したことを特徴とする。
【０００７】
ここで、「遊技装置」とは、例えば、可動部材を備える変動入賞装置、ランプやＬＥＤを備える発光装飾装置、動作する演出部材を備える可動演出装置（役物装置）、遊技球が入賞する入賞口、遊技球が通過するゲートである。
また、「電気部品」とは、ソレノイド、ランプ、ＬＥＤ、モータ、センサ、基板などである。
また、「絶縁手段」とは、ゴム、シリコンなどの絶縁性の素材からなる部材や、ゴム、シリコン、絶縁油などの絶縁性の素材からなる被膜などである。
【０００８】
請求項１に記載の発明によれば、遊技に関わる遊技装置の電気部品を遊技盤裏面に配設し、遊技釘を遊技盤に形成された貫通孔に対して植設し、遊技釘の先端部を絶縁手段により電気的に絶縁したので、遊技盤裏面の電気部品や画像表示装置が故障する等を防止できる。すなわち、遊技釘を遊技盤に形成された貫通孔に対して植設しても、遊技釘の先端部は絶縁手段により電気的に絶縁されているので、遊技領域を流下する遊技球から静電気が遊技釘を介して遊技盤裏面に伝わることを防止でき、遊技盤裏面の電気部品や画像表示装置が静電気により故障したり誤作動したりする等の不具合を防止できる。
【００１０】
また、遊技釘は、本体部の径よりも大きい外径で構成されて螺旋状の溝が形成された螺旋部を備えたので、螺旋部により遊技釘の保持力を高めることができる。また、螺旋部よりも先端方向に当該螺旋部の外径よりも小径の先端部を形成し、該先端部を絶縁手段により電気的に絶縁したので、遊技釘を打ち込む際に絶縁手段が傷ついたり、剥がれたりすることを防止できる。
また、螺旋部に、遊技釘の円周方向に沿ってリング状の溝部を形成したので、遊技釘の保持力が極めて高くなり、遊技中に遊技球の衝突等により遊技釘が脱落してしまう等を防止できる。
【００１１】
請求項２に記載の発明は、請求項１に記載の遊技機であって、前記先端部を曲面形状に構成したことを特徴とする。
【００１２】
請求項２に記載の発明によれば、先端部を曲面形状に構成したので、遊技釘の先端が遊技盤の裏面まで突き抜けても保管時に他の遊技盤を傷つけることを防止できるとともに、遊技釘の先端部が遊技盤の裏面に突き抜けても静電気が遊技盤の裏面に伝わるのを防止できる。すなわち、遊技盤の製造時において遊技釘を貫通孔に打ち込んだ場合、遊技釘の先端部が遊技盤の裏面まで突き抜けてしまうこともあるが、遊技盤（本体）に遊技釘を植設した状態で保管する場合、複数の遊技盤を背合わせで重ねて保管すると裏面に突き出た遊技釘で重なった遊技盤を傷つけてしまい画像の見栄えを悪くしてしまう。しかしながら、本発明のように先端部を曲面形状に構成することで、仮に遊技釘の先端部が遊技盤の裏面まで突き抜けても保管時に他の遊技盤を傷つけることを防止できる。また、静電気（静電荷）は曲率半径が小さく尖っている所ほど密度が高くなり、そこから放電される可能性が高くなるが、本発明のように先端部を曲面形状に構成することで、静電気が遊技盤の裏面に伝わる可能性を低くすることができる。
【００１３】
請求項３に記載の発明は、請求項１又は２に記載の遊技機であって、前記貫通孔に対する遊技釘の打ち込み深さを規制する打込規制部を前記遊技釘に形成したことを特徴とする。
【００１４】
請求項３に記載の発明によれば、貫通孔に対する遊技釘の打ち込み深さを規制する打込規制部を遊技釘に形成したので、遊技釘の打ち込み深さを適正位置にすることができ、遊技釘が遊技盤の裏面に突き抜けたり、遊技釘の遊技領域での高さが異なってしまったりする等の不具合を防止できる。また、遊技釘の先端部と電気部品との間に一定の距離を確保することができるので、静電気が遊技盤裏面に伝わる可能性を低くすることができる。
【発明の効果】
【００１７】
本発明によれば、遊技に関わる遊技装置の電気部品を遊技盤裏面に配設し、遊技釘を遊技盤に形成された貫通孔に対して植設し、遊技釘の先端部を絶縁手段により電気的に絶縁したので、遊技盤裏面の電気部品や画像表示装置が故障する等を防止できる。すなわち、遊技釘を遊技盤に形成された貫通孔に対して植設しても、遊技釘の先端部は絶縁手段により電気的に絶縁されているので、遊技領域を流下する遊技球から静電気が遊技釘を介して遊技盤裏面に伝わることを防止でき、遊技盤裏面の電気部品や画像表示装置が静電気により故障したり誤作動したりする等の不具合を防止できる。
また、遊技釘は、本体部の径よりも大きい外径で構成されて螺旋状の溝が形成された螺旋部を備えたので、螺旋部により遊技釘の保持力を高めることができる。また、螺旋部よりも先端方向に当該螺旋部の外径よりも小径の先端部を形成し、該先端部を絶縁手段により電気的に絶縁したので、遊技釘を打ち込む際に絶縁手段が傷ついたり、剥がれたりすることを防止できる。
また、螺旋部に、遊技釘の円周方向に沿ってリング状の溝部を形成したので、遊技釘の保持力が極めて高くなり、遊技中に遊技球の衝突等により遊技釘が脱落してしまう等を防止できる。
【発明を実施するための最良の形態】
【００１８】
以下、この発明の実施形態について図面を参照して説明する。
ここでは、本発明にかかる遊技機の適例としてのパチンコ遊技機について説明を行う。
【００１９】
図１，２に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように表示ユニット１７０を備える裏機構枠１６０の配設を可能としている。
【００２０】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００２１】
前面枠本体１３０は、矩形枠状の機枠１１０の前面側をちょうど覆うような概略矩形板状に構成されるとともに、その中央から上端部にわたる部分に、遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２２】
また、前面枠本体１３０の遊技盤１が嵌め込まれた開口部１３１、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００２３】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置としてのランプやＬＥＤ、音声を出力するスピーカなどが設けられている。
【００２４】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２５】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン１５５が設けられている。また、開閉パネル１５１の下側の下部パネル１５２には、上皿１５３に収容しきれない遊技球を収容する下皿１５４及び灰皿と、第１遊技領域１ａに向けての遊技球の発射操作を行うとともに、該遊技領域１ａに遊技球を発射する際の発射勢を調節するための操作ハンドル１５６、音声を出力するスピーカ１５７などが設けられている。
【００２６】
また、図２に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００２７】
裏機構枠１６０には、画像表示装置として、画像表示面１７１が前側（開口した側）となるように、液晶表示パネル１７５（液晶表示器、バックライトを含む）を備える表示ユニット１７０が配設されており、遊技盤１の裏面側に表示ユニット１７０の画像表示面１７１が臨むようになっている。すなわち、表示ユニット１７０は該裏機構枠１６０を介して前面枠１２０側に配設された状態で遊技盤１の後方位置に配設されることとなる。液晶表示パネル１７５の画像表示面１７１の面積は、前面枠本体１３０に形成された開口部１３１に嵌め込まれた遊技盤１の大部分を裏面側から覆うことができる面積となっており、後述する遊技盤１における遊技盤本体１ｂを透して後方を視認可能な視認開口８７よりも広いものである。
【００２８】
また、表示ユニット１７０は前後に移動可能に取り付けられているとともに、付勢部材により前方側に向かって付勢された状態となっている。よって、遊技盤１が装着されて裏機構枠１６０を閉じた状態においては、後述する遊技盤１の裏面に設けられて後方に突出する押圧部８３，８３，…が、表示ユニット１７０の前面に密着し、表示ユニット１７０は遊技盤１の裏面から押圧部８３，８３，…の突出幅の分だけ後方側へ隔離した位置に配されるようになっている。
【００２９】
また、裏機構枠１６０の背面（裏面）には、ＣＰＵなどを備えた演出制御基板を有し、画像表示装置をなす表示ユニット１７０における液晶表示器の表示を制御する表示制御装置をなす第１演出制御装置が配設されている。この第１演出制御装置は、遊技盤１の裏面に取り付けられて遊技制御装置３０の制御の下で演出の制御を行う第２演出制御装置３１と接続するようになっている。この他に、裏機構枠１６０には、遊技機１００が設置される島設備に設けられた供給装置から供給される遊技球を一時貯留する貯留タンク１９２や、遊技制御装置３０の制御の下、排出発射制御装置に制御されて貯留タンク１９２から所定数の遊技球を排出する排出装置などが設けられている。
【００３０】
また、前面枠本体１３０の裏面側であって遊技盤１が嵌め込まれた開口部１３１の下方には、賞球の排出や遊技球の発射を制御する排出発射制御装置（図示略）、遊技機１００内の各装置に電力を供給する電源回路としての電源供給装置（図示略）などが取り付けられている。その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００３１】
図１，３，４に示すように、前面枠本体１３０の開口部１３１に嵌め込まれる遊技盤１は、遊技盤本体１ｂと、遊技盤本体１ｂの裏面側に配される遊技盤裏面構成部材８０とを備える。遊技盤本体１ｂは透明な合成樹脂（例えば、ポリカーボネートやアクリル）からなり、前面には、遊技領域区画壁９で囲まれた第１遊技領域１ａを有し、この第１遊技領域１ａ内に発射装置（図示略）から遊技球（打球；遊技媒体）を発射して遊技を行うようになっている。
【００３２】
遊技盤本体１ｂの前面側には、第１遊技領域１ａを区画する遊技領域区画壁９を備える遊技領域区画部材８，８，…が取り付けられている。この遊技領域区画部材８，８，…は所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は不透明な材質からなり、第１遊技領域１ａ以外から遊技機１００の内部が見えないようになっている。
【００３３】
さらに、遊技盤本体１ｂの四隅に配された遊技領域区画部材８，８，…には、遊技盤１を前面枠本体１３０に形成された開口部１３１に対して着脱可能とする係合凹部８ｂ、固定凹部８ｃが形成されている。前面側から見て左側の上下にある遊技領域区画部材８，８には、前面枠本体１３０に設けられた係合部材１３２，１３２が係合可能な係合凹部８ｂが形成され、遊技盤１の前面側から見て右側の上下にある遊技領域区画部材８，８には、前面枠本体１３０に設けられた固定部１３３が係合可能な固定凹部８ｃが形成されている。そして、前面枠本体１３０に形成された開口部１３１に対して、前面側から係合凹部８ｂ，８ｂを係合部材１３２，１３２に係合させ、この係合部分を軸として他端部を後方に回動させて開口部１３１に収容し、固定凹部８ｃ，８ｃに固定部１３３，１３３を係合させることで遊技盤１が前面枠本体１３０に固定されるようになっている。
【００３４】
遊技盤１を構成する遊技盤本体１ｂの前面側に形成された第１遊技領域１ａ内には、遊技盤１の装飾や遊技球を流下案内する遊技装置として、始動入賞口１０および普通変動入賞装置３、特別変動入賞装置４、一般入賞口形成部材１４，１４に設けられた一般入賞口２，２が設けられている。さらに遊技装置として、風車と呼ばれる打球方向変換部材１１，１１、多数の障害釘（図７に一部を図示）、流下方向規制装置７が設けられている。また、この他に遊技装置として、普図始動ゲート６、入賞口などに入賞しなかった遊技球を回収するアウト口５、ランプ・ＬＥＤなどの遊技盤装飾装置などが設けられている。また、遊技盤本体１ｂの裏面側には、遊技球が流下可能な後述する第２遊技領域２０が設けられ、第１遊技領域１ａには遊技装置として、この第２遊技領域２０への導入口をなすワープ入口１２，１２、第２遊技領域２０からの導出口１３が設けられている。
【００３５】
普図始動ゲート６は遊技球が上下に通過可能なゲートであり、その内部には遊技球の通過を検出する電気部品としてのゲートセンサ６ａ（図４に図示）が設けられている。そして、該ゲートセンサ６ａで遊技球が検出されることに基づき普図変動表示ゲームの始動条件が成立するようになっている。また、普図変動表示ゲームは、遊技盤１の前面側に設けられた図示しない普図変動表示器にて表示されるようになっている。さらに、遊技盤１の前面側には、未処理となっている第１普図変動表示ゲームの回数をＬＥＤの点滅で表示する図示しない普図始動記憶表示器が設けられている。
【００３６】
始動入賞口１０および普通変動入賞装置３は第１遊技領域１ａの下部にあって、その内部には遊技球の流入を検出する電気部品としての始動口センサが設けられている。この始動入賞口１０および普通変動入賞装置３は、特図始動入賞口であって、始動口センサで遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、未処理となっている特図変動表示ゲームの回数をＬＥＤの点滅で表示する図示しない特図始動記憶表示器が設けられている。
【００３７】
普通変動入賞装置３は左右一対の開閉部材３ａ，３ａを具備し、始動入賞口１０の下部に配設されている。開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０.５秒間）逆「ハ」の字状に開いて普通変動入賞装置３に遊技球が流入し易い状態（遊技者にとって有利な状態）に変化されるようになっている。なお、開閉部材３ａ，３ａは、電気部品としてのソレノイド（普電ＳＯＬ）により駆動される。これにより、特図変動表示ゲームの始動が容易となる。
【００３８】
また、特図変動表示ゲームは、第１遊技領域１ａ内に設けられた特図変動表示器で実行されるが、ここで実行される特図変動表示ゲームに対応する表示ゲームが上述した表示ユニット１７０の画像表示面１７１に表示されるようになっている。この特図変動表示ゲームに対応した表示ゲームの表示領域は、遊技盤本体１ｂの裏面側に配された表示領域区画壁６４，８９、役物装置４０によって区画された領域であって、透明な材質からなる遊技盤本体１ｂを通して、その裏面側に配された表示ユニット１７０の画像表示面１７１を視認可能な領域となっている。なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１における表示ゲームの表示態様も特別結果態様（例えば、「７，７，７」等のゾロ目数字の何れか）となる。
【００３９】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、電気部品としてのソレノイド（大入賞口ＳＯＬ）により駆動される。また、大入賞口の内部（入賞領域）には、該大入賞口に入った遊技球を検出するための電気部品としての大入賞口用センサ（カウントセンサ）が配設されている。
【００４０】
一般入賞口形成部材１４，１４は、第１遊技領域１ａの下部に位置する遊技領域区画壁９に沿って配されており、前面側には一般入賞口２，２が形成されている。また、この一般入賞口２，２には、一般入賞口２，２に入った遊技球を検出するための電気部品としての一般入賞口センサが配設されている。また、一般入賞口形成部材１４，１４は、遊技に関連した装飾が施されて一部が光を透過可能に構成されているとともに電気部品としてのＬＥＤなどを備えており、遊技盤１の装飾を行う遊技盤装飾装置の一部をなしている。
【００４１】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が排出発射制御装置（排出発射制御基板）の制御により排出装置によって上皿１５３に排出される（払い出される）ようになっている。
【００４２】
また、流下方向規制装置７は、第１遊技領域１ａとなる遊技盤本体１ｂの前面に突出するように取り付けられている。この流下方向規制装置７は透光性を有する材質からなる部材で、鎧部７ａとその両端に接続した案内部７ｂ，７ｂとから略コ字状に形成されていて、コ字状の開口部分が下側を向くように第１遊技領域１ａの中央部に配され、第１遊技領域１ａの中央部分を区画するようになっている。これによって、第１遊技領域１ａに発射されて流下する遊技球が第１遊技領域１ａの左右に振り分けられ、第１遊技領域１ａの中央部分における画像表示面１７１の視認性が保たれるようになっている。
【００４３】
この流下方向規制装置７の鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００４４】
また、鎧部７ａの端部に連続した案内部７ｂ，７ｂは、第１遊技領域１ａの中央部分に対して左右に配されて下方に向かって延在するようになっている。この案内部７ｂ，７ｂは、鎧部７ａで左右に振り分けられた遊技球が中央部分へ戻らないように下方へ案内するものである。また、この案内部７ｂ，７ｂの下端部にはワープ流路への入口となるワープ入口１２，１２が、流下方向規制装置７の外側（案内部７ｂと、対向する遊技領域区画壁９との間）を流下する遊技球を受け入れ可能に形成されている。また、遊技盤本体１ｂにおけるワープ入口１２，１２が配される部分には、前後に貫通したワープ孔が形成され、ワープ入口１２，１２から流入した遊技球を、遊技盤本体１ｂの裏面側に形成された後述する第２遊技領域２０へ誘導可能とされている。
【００４５】
また、第１遊技領域１ａにおける始動入賞口１０の上側には、後述する第２遊技領域２０からの導出口１３が形成されている。この導出口１３は、遊技盤本体１ｂに形成された前後に貫通した導出孔に導出口形成部材２３を取り付けることで構成されている。この導出口形成部材２３は、遊技盤本体１ｂと略同じ厚みを有し、導出孔に嵌め込まれる部分に導出口１３を形成する筒状の開口２３ａが形成されている。この筒状の開口２３ａの内周面における下側の面（導出口１３の底面）は、後方に配される後述するステージ部材２１の形状に合わせた曲面とされているとともに前側に傾斜するようにされており、ステージから前側に誘導された遊技球を第１遊技領域１ａに誘導可能とされている。また、この曲面とされた遊技球が転動する下側の面の下方には、ステージの下方に前後方向に沿って延在するように形成された球誘導路２２の下流側端部が形成されている。導出口形成部材の前端部に位置する球誘導路２２の下流側端部は、始動入賞口１０の直上に位置するようになっており、ここを流下した遊技球は高い確率で始動入賞口１０に流入するようになっている。
【００４６】
図３，４に示すように、遊技盤１を構成する遊技盤本体１ｂの裏面側には、遊技盤裏面構成部材８０が取り付けられている。この遊技盤裏面構成部材８０は、上部カバー部材８１、下部カバー部材８２、側部カバー部材８４とから遊技盤本体１ｂの周囲に沿う矩形状に形成され、不透明又は半透明とされた合成樹脂（例えば、ポリカーボネートやＡＢＳ）からなる。この遊技盤裏面構成部材８０の略中央部には、遊技盤本体１ｂに形成された第１遊技領域１ａの大部分と重なるように略矩形状の視認開口８７が形成されている。
【００４７】
上部カバー部材８１は、遊技盤本体１ｂの裏面における上側部分を覆う板状の部材で、左右及び上側の周縁が遊技盤本体１ｂの上側部分における外周に沿うような形状をしている。また、下側の周縁は、遊技盤本体１ｂの前面側に形成された第１遊技領域１ａの周縁をなす遊技領域区画壁９に略沿うように湾曲した形状とされている。
【００４８】
また、この上部カバー部材８１が配される部分における遊技盤本体１ｂの裏面には、遊技装置としての役物装置４０が取り付けられている。この役物装置４０は、図５に示すように、前方に配される前面装飾部材４１と、該前面装飾部材４１の後方に設けられた収納ケース４２とを備え、図３，７に示すように、その大部分が、上部カバー部材８１の下側の周縁よりも下側に配されるようになっている。なお、図７では、役物装置４０のみ側面を示し、他は断面を示している。
【００４９】
前面装飾部材４１の前面は遊技盤１の前面側から遊技盤本体１ｂを透して視認可能となっており、この前面には、例えば機種名や装飾図柄などが描かれ、装飾が施されている。また、役物装置４０は所定の前後幅を有し、遊技盤１と表示ユニット１７０の間の上部の隙間から遊技機１００の内部が見えないようにする機能も有する。
【００５０】
図５に示すように、収納ケース４２の内部には、可動部材４３や、該可動部材４３を駆動する電気部品としてのモータ４４、制御基板４７などが収納されている。可動部材４３は、収納ケース４２に対して回動可能に軸着されているとともに、リンク部材４５を介してモータ４４と接続されている。そして可動部材４３は、モータ４４を駆動することにより、図５に示すように収納ケース４２に収納された隠蔽位置と、図６に示すように収納ケース４２の下方に現出した現出位置とに変換可能となっている。
【００５１】
このような役物装置４０は、第１演出制御装置が第２演出制御装置３１を介して制御するようになっており、遊技の進行に合わせて動作するようになっている。可動部材４３は、図５に示すように、通常時は役物装置４０の内部に収納された収納位置にあって、遊技者からは見えないように隠蔽されている。そして、例えば、変動表示ゲームにおけるリーチ予告やリーチ状態中の演出のような、遊技の進行に合わせてモータ４４を駆動して可動部材４３を動作させ、図６に示すように、可動部材４３が役物装置４０下方に現出した現出位置に移動させる。
【００５２】
役物装置４０は視認開口８７の上部を区画する区画部材としての機能も有しており、この役物装置４０の下方から可動部材４３を現出させることにより、画像表示面１７１の前側に重なった状態で遊技者から視認可能となる。よって、画像表示面１７１において可動部材４３の現出と連動した表示を行うことで、より効果的な演出も可能となり、遊技の興趣を向上させることができる。なお、図６に示すように、現出位置にある可動部材４３を収納位置に戻す際には、モータ４４を逆方向に駆動することで、付勢部材４６の付勢力により可動部材４３が回動して収納位置に戻るようになっている。
【００５３】
図３，４に示すように、下部カバー部材８２は、遊技盤本体１ｂの裏面における下側部分を覆う板状の部材で、左右及び下側の周縁が遊技盤本体１ｂの下側部分における外周に沿うような形状をしている。また、上側の周縁は第１遊技領域１ａに設けられた下部役物装置（普通変動入賞装置３、特別変動入賞装置４、一般入賞口形成部材１４，１４）の後部を覆うことができるように、下部役物装置の配設部位における上縁部に沿う形状とされている。この下部カバー部材８２の裏面側には、下部役物装置の後部を覆う下部覆い部材６０が取り付けられるようになっている。
【００５４】
下部覆い部材６０はその前面側に、始動入賞口１０、普通変動入賞装置３、特別変動入賞装置４、一般入賞口２，２などに入賞した遊技球を流下させる入賞球流路を備える。この入賞球流路は、遊技機１００の外部（島設備の回収樋）に連通する図示しない流路に接続するようになっている。
【００５５】
また、下部覆い部材６０は透明な材質からなり、一部がレンズのように加工されていて、裏面側に配されたＬＥＤ基板（図示略）に備えられた電気部品としてのＬＥＤからの光を下部役物装置に向けて誘導する機能も有する。さらに、下部覆い部材６０の上部には着色されて半透明とされた板状の表示領域区画壁６４が形成されており、表示領域を区画するとともに、遊技機１００の内部が見えないようにしている。なお、表示領域区画壁６４の形状は、下部覆い部材６０の前面に配された部材に対応した形状（一部が曲面）とされている。また、表示領域区画壁６４の下側には、電気部品としてのＬＥＤ基板６３が表示領域区画壁６４と平行になるように水平に配設されている。そして、このＬＥＤ基板６３の上面に配されたＬＥＤにより表示領域区画壁６４を下側から照らすことで、その光が半透明の表示領域区画壁６４を介して遊技領域を装飾するようになっている。
【００５６】
また、下部覆い部材６０の裏面側から見て左側の端部は、上下方向に沿って延在する回動軸を備える連結部６２が形成されており、第２演出制御装置３１が左右方向に扉状に回動可能に軸支されるようになっている。第２演出制御装置３１は、画像データなどを記憶したＲＯＭを備える演出データ基板と、遊技盤装飾装置を駆動するための盤装飾ドライバを備えたドライバ基板を備え、遊技制御装置３０の制御の下で演出の制御を行うものである。この第２演出制御装置３１は、裏機構枠１６０に設けられた第１演出制御装置と直接接続するようになっている。さらに、第２演出制御装置３１の裏面側には、遊技を制御する遊技制御装置３０が取り付けられている。
【００５７】
すなわち、機種に依存する演出データ基板を備えた第２演出制御装置３１、遊技制御装置３０は遊技盤１に取り付けられ、複数の機種で共通使用可能な第１演出制御装置、排出発射制御装置、電源供給装置は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５８】
側部カバー部材８４は、遊技盤本体１ｂの左右それぞれの側端に沿って取り付けられており、上端部が上部カバー部材８１の下端に接して連続するように配されるとともに、下端部が下部カバー部材８２の上端部に接して連続するように配される。さらに、側部カバー部材８４と一体に表示領域区画壁８９を備える側壁部材８８が取り付けられている。
【００５９】
側壁部材８８は、表示領域を区画する表示領域区画壁８９を備え、該表示領域区画壁８９が遊技盤本体１ｂに対して上下方向に延在するとともに後方へ延出するような向きで配される。なお、左右の表示領域区画壁８９は遊技盤本体１ｂに対して略垂直に配されるが、より詳細には、後方へ向かって間隔が狭くなるように若干斜めに配されるようになっている。
【００６０】
この表示領域区画壁８９は、表示領域区画壁８９を通して遊技機１００の内部が透けて見えない程度の半透明とされており、表示領域区画壁８９の外側を前方から隠蔽するように構成されている。また、表示領域区画壁８９の遊技盤本体１ｂの側端側に配される面には波状の凹凸が形成されており、さらに、表示領域区画壁８９の遊技盤本体１ｂの中央側に配される面には、不透明な装飾用のシールが貼付されるようになっており、表示領域区画壁８９を透して遊技機１００の内部が見えないようになっている。
【００６１】
以上のような構成を有する役物装置４０、表示領域区画壁８９，６４によって、遊技盤本体１ｂの裏面側に前後方向に沿った筒状の空間が形成される。この表示領域区画壁８９，６４および役物装置４０は、遊技盤１の後方に配される後述する表示ユニット１７０の画像表示面１７１に近接するように配され（当接はしない）、特図変動表示ゲームに対応した表示ゲームなどの表示領域を区画するようになっている。すなわち、表示ユニット１７０の画像表示面１７１のうち、表示領域区画壁８９，６４および役物装置４０で囲まれた領域が遊技盤１の前面側から視認可能な表示領域（視認領域）となる。これによって、第１遊技領域１ａの大部分に表示ユニット１７０の画像が表示されることとなる。また後述するようにこの遊技盤本体１ｂの裏面側における表示領域区画壁８９，６４および役物装置４０で囲まれた領域の一部が、遊技球が流下可能な第２遊技領域２０とされている。
【００６２】
なお、画像表示面１７１の面積は、遊技盤裏面構成部材８０に形成された視認開口８７よりも広いので、視認開口８７から露出する領域に所定の画像が表示されるように第１演出制御装置によって制御されている。また、上述したように、表示領域区画壁８９，６４と役物装置４０は、遊技機１００の内部が見えないようにする機能も有しており、これらで囲まれた視認開口８７の外周部分となる領域は遊技盤１の前面側からは見えないようになっている。
【００６３】
また、上部カバー部材８１、下部カバー部材８２の裏面には、遊技盤本体１ｂの左右端部に沿って配される周縁の近傍に後方へ突出する押圧部８３，８３，…が形成されている。この押圧部８３，８３，…は、遊技盤１の裏面側に配される表示ユニット１７０の前面（表示ユニット１７０の外枠の前面）に、その後端部が当接するようになっている。表示ユニット１７０は、付勢部材によって前側に付勢されているので、押圧部８３，８３，…と表示ユニット１７０は密着した状態で保持されるようになっている。
【００６４】
この押圧部８３，８３，…により、遊技盤１に対して表示ユニット１７０が所定の間隔をおいて遊技機１００の奥側に配されるようになり、表示ユニット１７０と遊技者との距離を確保でき、奥行き感を出すことができるとともに、大型の表示ユニット１７０を用いた場合でも、遊技者にとって見やすい構成とすることができる。また、遊技盤側から入り込む外光によって画像表示面１７１における表示が見にくくなることを防止できる。
【００６５】
また、遊技盤本体１ｂの裏面側における表示領域区画壁８９，６４および役物装置４０で囲まれた領域内には、遊技装置としてのステージ部材２１が配されている。このステージ部材２１は透光性を有する材質からなる板状の部材であって、左右の端部は表示領域区画壁８９に一部が支持されるとともに近接して配され、後端部は表示領域区画壁８９の後端部と等しい前後位置に配されている。すなわち、このステージ部材２１によって、表示領域区画壁８９，６４および役物装置４０によって形成された前後方向に沿った筒状の空間が上下に区画されるようになっている。そして、遊技盤１の裏面側に表示ユニット１７０が配されることで、表示ユニット１７０と表示領域区画壁８９、ステージ部材２１および役物装置４０によって囲まれた空間である第２遊技領域２０が遊技盤本体１ｂの裏面側に形成される。このように形成される第２遊技領域２０へは、案内部７ｂ，７ｂに形成されたワープ入口１２，１２に流入した遊技球が誘導されるようになっている。
【００６６】
遊技盤本体１ｂの裏面におけるワープ入口１２，１２と対応する位置には、遊技装置としての遊技球流路形成部材をなすワープ流路形成部材２４，２４が配されている。このワープ流路形成部材２４，２４は透光性を有する材質からなる部材で、ワープ入口１２，１２に流入してワープ孔を通って遊技盤本体１ｂの裏面に至った遊技球を、ステージ部材２１の上面に形成されたステージ２１ａ上に誘導するワープ流路が内部に形成されている。
【００６７】
ステージ部材２１は、左右両側が中央に向かって下る傾斜面となっているとともに、中央部が上向きに突出した略Ｗ字状に形成されている。そして、このステージ部材２１の上面が、遊技球が転動するステージ２１ａとされ、遊技球が略Ｗ字状の傾斜に沿って左右に転動するようになっている。また、このステージ部材２１の中央部は、遊技盤本体１ｂに形成された導出口１３の後方に位置するように形成されており、ステージ２１ａは、導出口形成部材２３によって形成された導出口１３の底面に連続するようになっている。これによって、ステージ２１ａ上を転動する遊技球は前側へ誘導され、導出口１３から第１遊技領域１ａへ導出されることとなる。
【００６８】
また、ステージ２１ａの左右方向の中央であって、遊技球が転動する面の下側には、遊技球が流下可能な流路である球誘導路２２の後方部分が形成されている。この球誘導路２２は、前後方向に沿って延在するように形成された遊技球が一個流下可能な内径を有する筒状の流路で、前側に向かって下るように傾斜している。この球誘導路２２の上流側端部はステージ２１ａに開口しており、下流側端部は上述したように、導出口形成部材２３の前端部に開口している。
【００６９】
次に、遊技釘５００について図７，８を参照して詳細に説明する。
図８に示すように、遊技釘５００は、金属製（導電性を有する材質）の棒状の部材であって、遊技盤本体１ｂに打ち込まれる先端側から順に、先端部５０３、螺旋部５０２、本体部５０１、釘頭部５０４の各部を備える。
【００７０】
本体部５０１は所定径を有する長尺な円柱状をしており、第１遊技領域１ａ内に配されて流下する遊技球と衝突する部分である。この本体部５０１の一端に連続して本体部５０１の径よりも大きい径を有する釘頭部５０４が形成されている。また、本体部５０１の釘頭部５０４が形成された端部とは反対側の端部に連続して、遊技盤本体１ｂに打ち込まれる螺旋部５０２が形成されている。この螺旋部５０２は当該本体部５０１の径よりも大きい所定の外径を有し、外周には遊技釘５００の軸心を中心として螺旋状に延在する溝５０２ａが形成されている。この螺旋部５０２により遊技釘の保持力を高めることができる。
【００７１】
ここで、溝５０２ａの螺旋部５０２と先端部５０３との境界部分でなす角度θは、５５[°]程度とされている。この角度θ（ネジ角度）は、小さいほど保持力が向上するが、あまり小さくしてしまうと打ち込み時に打込穴１ｃを余分に削ってしまい、かえって保持力を低下させてしまう。そこで、本実施形態にあっては、角度θは、５５[°]程度に設定されている。
【００７２】
また、螺旋部５０２の長手方向の略中央には、当該遊技釘５００の円周方向に沿ってリング状の溝部５０５が一本形成されている。溝部５０５は、側方から見て略Ｖ字状に構成されている。そして、当該略Ｖ字状の溝部５０５をなす２つの傾斜面のうち、先端側に位置する先端側傾斜面５０５ａの方が逆側（後側）の後側傾斜面５０５ｂよりも当該遊技釘５００の長手方向に対する角度が大きくされている。この溝部５０５により遊技釘５００の保持力が極めて高くなり、遊技中に遊技球の衝突等により遊技釘５００が脱落してしまうこと等を防止できる。
【００７３】
なお、溝部５０５を略Ｖ字状に構成すると共に、略Ｖ字状の２つの傾斜面のうち、先端側の先端側傾斜面５０５ａの方が逆側の後側傾斜面５０５ｂよりも遊技釘５００の長手方向に対する角度が大きくなるようにしたことで、打ち込みをスムーズに行えるとともに保持力も高めることが可能となっている。
【００７４】
以上のことから、螺旋部５０２に、遊技釘５００の円周方向に沿ってリング状の溝部５０５を形成したこととなる。
【００７５】
先端部５０３は遊技釘５００における遊技盤本体１ｂに打ち込まれる側の先端をなす部分であって、螺旋部５０２に連続して形成されており、半球状となるように曲面形状に構成されているとともに絶縁手段５０３ａにより覆われて電気的に絶縁されている。この絶縁手段５０３ａは、ゴム、シリコンなどの絶縁性の素材からなる部材を取り付けたもの、もしくは、ゴム、シリコン、絶縁油などの絶縁性の素材からなる被膜を形成したものである。このように先端部５０３が半球状とされていることで、仮に、遊技釘５００の先端が遊技盤本体１ｂの裏面まで突き抜けても保管時に他の遊技盤１を傷つけることを防止できる。また、先端部５０３において静電気（静電荷）の密度が高くなることを防ぎ、静電気が遊技盤本体１ｂの裏面に伝わる可能性を低くすることができる。さらに、絶縁手段５０３ａにより覆われて電気的に絶縁されているので、静電気が遊技盤本体１ｂの裏面に伝わる可能性をより低くすることができる。また、先端部５０３は螺旋部５０２の外径よりも小径とされており、遊技釘５００を打ち込む際に絶縁手段５０３ａが傷ついたり、剥がれたりしないようにされている。
【００７６】
以上のことから、先端部５０３を曲面形状に構成したこととなる。
また、遊技釘５００は、本体部５０１の径よりも大きい外径で構成されて螺旋状の溝５０２ａが形成された螺旋部５０２を備え、螺旋部５０２よりも先端方向に当該螺旋部５０２の外径よりも小径の先端部５０３を形成し、該先端部５０３を絶縁手段５０３ａにより電気的に絶縁したこととなる。
【００７７】
このような遊技釘５００は、遊技盤本体１ｂの所定位置に形成された打込穴に対して打ち込まれている。打込穴１ｃは、所定厚（例えば、１０[mm]程度）を有する遊技盤本体１ｂを貫通して形成されている。また、打込穴１ｃは、遊技盤本体１ｂの前面に直交する方向に対して所定角度（例えば、５[°]程度）傾斜して形成されている。これにより、当該打込穴１ｃに打ち込まれた遊技釘５００は、所定角度傾斜した状態で遊技盤本体１ｂに配設されるようになっている。なお、遊技釘５００の遊技盤本体１ｂの直交方向に対する角度は、例えば、ゼロ[°]、即ち、傾斜させずに打ち込まれたものであっても良い。
【００７８】
また、遊技釘５００の打込穴１ｃに対する打ち込み深さは、当該遊技釘５００の先端部５０３が打込穴１ｃの開口端より突出しない程度とされている。なお、遊技釘５００は、このような打ち込み深さで遊技盤本体１ｂに打ち込んだ状態で、釘頭部５０４がクリア部材としてのガラス板１４１の裏面に近接する位置に配されるような長さとされている。
【００７９】
このように第１遊技領域１ａに植設される遊技釘５００には、発射装置から発射された遊技球が衝突するが、このとき遊技球に静電気が帯電している場合は接触によって遊技釘５００が帯電することがある。遊技釘５００が打ち込まれる打込穴１ｃは貫通穴であるので、遊技釘５００が帯電することで遊技釘５００から遊技盤本体１ｂの裏面側に配されている遊技装置（一般入賞口２，２、普通変動入賞装置３、特別変動入賞装置４、普図始動ゲート６、始動入賞口１０、役物装置４０）に放電し、電気部品（例えば、ゲートセンサ６ａなどの各種センサ、モータ４４やソレノイドなどの各種駆動源、制御基板４７などの各種基板、その他ランプ、ＬＥＤなど）が故障したり誤作動したりする虞がある。
【００８０】
図７には一例として、流下方向規制装置７の外側であって、案内部７ｂと、対向する遊技領域区画壁９との間、すなわち遊技球の流下が頻繁な領域に植設された遊技釘５００の一つを示した。この遊技釘５００の近く（外側）には、遊技盤本体１ｂの裏面側に電気部品としてのモータ４４や制御基板４７を備えた遊技装置としての役物装置４０が配設されている。この役物装置４０は可動部材４３を備えているが、この可動部材４３は役物装置４０（収納ケース４２）の内部に収納された収納位置にある状態（前面装飾部材４１で前方を隠蔽された隠蔽状態）から、役物装置４０の外部に現出して可動部材４３と遊技盤本体１ｂの裏面との間に他の部材がない状態（現出状態）に変換可能に構成されている。そして、可動部材４３が現出状態に変換すると該可動部材４３は前述の遊技球の流下が頻繁な領域に植設された遊技釘５００に近づくこととなる。また、可動部材４３は装飾のためメッキ加工されている。よって、遊技釘５００に帯電した静電気が可動部材４３に放電される可能性が高く、更に可動部材４３が現出状態に変換すると放電される可能性が益々高くなる。このように、役物装置４０は特に遊技釘５００に帯電した静電気の影響を受けて、内部のモータ４４や制御基板４７が故障したり誤作動したりする可能性が高い。しかし上述したように遊技釘５００の少なくとも先端部分を絶縁手段５０３ａにより覆うことで、可動部材４３と遊技釘５００の間に絶縁手段５０３ａが配されて電気的に絶縁されることとなり、可動部材４３への放電を防ぐことができて役物装置４０の電気部品の故障や誤作動を防止できる。さらに、先端部５０３が曲面なので、先端部５０３から放電する可能性を低くすることができ、より確実に電気部品の故障などを防止できる。他の遊技装置でも同様に、絶縁手段５０３ａによって静電気による電気部品の故障や誤作動を防ぐことができる。
【００８１】
以上のことから、透光性を有する遊技盤１の表面に導電性の遊技釘５００を植設して遊技球が流下する遊技領域（第１遊技領域１ａ）を形成するとともに、該遊技盤１の後方に画像表示装置（表示ユニット１７０）を配設して該遊技盤１を透かして画像を表示するようにした遊技機１００において、遊技に関わる遊技装置（一般入賞口２，２、普通変動入賞装置３、特別変動入賞装置４、普図始動ゲート６、始動入賞口１０、役物装置４０）の電気部品（例えば、ゲートセンサ６ａなどの各種センサ、モータ４４やソレノイドなどの各種駆動源、制御基板４７などの各種基板、その他ランプ、ＬＥＤなど）を遊技盤裏面に配設し、遊技釘５００を遊技盤１に形成された貫通孔（打込穴１ｃ）に対して植設し、遊技釘５００の少なくとも先端部分を絶縁手段５０３ａにより電気的に絶縁したこととなる。
【００８２】
次に、上述した実施形態の遊技機の変形例である遊技釘の変形例について図９を参照して説明する。なお、基本的には、上述の実施形態の遊技機と同様の構成を有しており、以下、主に異なる部分について説明する。本変形例の遊技機の遊技釘５１０は、遊技盤本体１ｂに形成された打込穴１ｃに対して当該遊技釘５１０の打ち込み深さを規制する打込規制部５０６が形成されている。
【００８３】
打込規制部５０６は、例えば、本体部５０１の所定位置に当該本体部５０１に連続して形成されている。また、打込規制部５０６は、例えば、当該本体部５０１の外径よりも大きい外径を有するフランジ状に形成されている。具体的には、打込規制部５０６は、例えば、螺旋部５０２側に当該遊技釘５１０の長手方向に対して略直交する直交面を具備するとともに、釘頭部５０４側ほど小さい外径となるように形成されている。このような遊技釘５１０を遊技盤本体１ｂの打込穴１ｃに打ち込むと、打込規制部５０６の直交面が遊技盤本体１ｂの表面に当接した状態となり、当該遊技釘５００の遊技盤本体１ｂに対する打ち込みが規制される。
【００８４】
このように打込穴１ｃに対して遊技釘５１０の打ち込み深さが規制されることで、遊技釘５１０の打ち込み深さを適正位置にすることができ、遊技釘５１０が遊技盤１の裏面に突き抜けたり、遊技釘５１０の遊技領域での高さが異なってしまったりする等の不具合を防止できる。また、遊技釘５１０の先端部５０３と電気部品との間に一定の距離を確保することができるので、静電気が遊技盤１の裏面に伝わる可能性を低くすることができる。
【００８５】
なお、本変形例の遊技釘５１０にあっては、螺旋部５０２に形成された溝部５０５は、先端部５０３側に向かって径が小さくなるテーパ形状となっている。即ち、先端側傾斜面５０５ａと遊技釘５１０の長手方向とのなす角度は、例えば、９０[°]とされている。また、螺旋部５０２の先端部５０３側の部分は、先端部５０３側に向かって径が小さくなるテーパ形状となっており、この部分も先端部５０３と同様に絶縁手段５０３ａにより覆われて電気的に絶縁されている。
【００８６】
以上のことから、貫通孔（打込穴１ｃ）に対する遊技釘５１０の打ち込み深さを規制する打込規制部５０６を遊技釘５１０に形成したこととなる。
【００８７】
なお、以上の実施形態では、遊技釘５００（５１０）として、先端部５０３が曲面形状に構成されたものを例示したが、先端部５０３を曲面形状とするか否かは適宜変更することができる。
さらに、螺旋部５０２に溝部５０５を一本形成するようにしたが、溝部５０５の本数は、適宜変更することができる。
加えて、溝部５０５を、略Ｖ字状に構成して、先端側傾斜面５０５ａの方が後側傾斜面５０５ｂよりも遊技釘５００の長手方向に対する角度を大きくするようにしたが、これに限られるものではなく、例えば、後側傾斜面５０５ｂの方が先端側傾斜面５０５ａよりも遊技釘５００の長手方向に対する角度を大きくするようにしても良い。
また、絶縁手段５０３ａによって電気的に絶縁する方法として、ゴム、シリコンなどの絶縁性の素材からなる部材を取り付けたもの、もしくは、ゴム、シリコン、絶縁油などの絶縁性の素材からなる被膜を形成したものを挙げたが、これ以外の方法により絶縁するようにしても良い。
また、遊技釘５００（５１０）の先端部５０３を絶縁手段５０３ａにより覆って電気的に絶縁するとしたが、少なくとも先端部分が絶縁手段５０３ａにより覆われて電気的に絶縁されていれば良く、先端部５０３以外の部分も絶縁手段５０３ａにより覆って電気的に絶縁しても良い。すなわち、例えば、螺旋部５０２まで絶縁手段５０３ａにより覆うようにしても良いし、打込穴１ｃに挿入される部分のすべてを絶縁手段５０３ａにより覆うようにしても良い。
【００８８】
以上のような遊技機１００は、透光性を有する遊技盤１の表面に導電性の遊技釘５００を植設して遊技球が流下する遊技領域（第１遊技領域１ａ）を形成するとともに、該遊技盤１の後方に画像表示装置（表示ユニット１７０）を配設して該遊技盤１を透かして画像を表示するようにした遊技機１００であって、遊技に関わる遊技装置（一般入賞口２，２、普通変動入賞装置３、特別変動入賞装置４、普図始動ゲート６、始動入賞口１０、役物装置４０）の電気部品（例えば、ゲートセンサ６ａなどの各種センサ、モータ４４やソレノイドなどの各種駆動源、制御基板４７などの各種基板、その他ランプ、ＬＥＤなど）を遊技盤裏面に配設し、遊技釘５００を遊技盤１に形成された貫通孔（打込穴１ｃ）に対して植設し、遊技釘５００の少なくとも先端部分を絶縁手段５０３ａにより電気的に絶縁している。
【００８９】
したがって、遊技に関わる遊技装置の電気部品を遊技盤裏面に配設し、遊技釘５００を遊技盤１に形成された貫通孔に対して植設し、遊技釘５００の少なくとも先端部分を絶縁手段５０３ａにより電気的に絶縁したので、遊技盤裏面の電気部品や画像表示装置が故障する等を防止できる。すなわち、遊技釘５００を遊技盤１に形成された貫通孔に対して植設しても、遊技釘５００の少なくとも先端部分は絶縁手段５０３ａにより電気的に絶縁されているので、遊技領域を流下する遊技球から静電気が遊技釘を介して遊技盤裏面に伝わることを防止でき、遊技盤裏面の電気部品や画像表示装置が静電気により故障したり誤作動したりする等の不具合を防止できる。
【００９０】
また、遊技釘５００は、本体部５０１の径よりも大きい外径で構成されて螺旋状の溝５０２ａが形成された螺旋部５０２を備え、螺旋部５０２よりも先端方向に当該螺旋部５０２の外径よりも小径の先端部５０３を形成し、該先端部５０３を絶縁手段５０３ａにより電気的に絶縁している。
【００９１】
したがって、遊技釘５００は、本体部５０１の径よりも大きい外径で構成されて螺旋状の溝５０２ａが形成された螺旋部５０２を備えたので、螺旋部５０２により遊技釘５００の保持力を高めることができる。また、螺旋部５０２よりも先端方向に当該螺旋部５０２の外径よりも小径の先端部５０３を形成し、該先端部５０３を絶縁手段５０３ａにより電気的に絶縁したので、遊技釘５００を打ち込む際に絶縁手段５０３ａが傷ついたり、剥がれたりすることを防止できる。
【００９２】
また、先端部５０３を曲面形状に構成している。
【００９３】
したがって、先端部５０３を曲面形状に構成したので、遊技釘５００の先端が遊技盤１の裏面まで突き抜けても保管時に他の遊技盤１を傷つけることを防止できるとともに、遊技釘５００の先端部５０３が遊技盤１の裏面に突き抜けても静電気が遊技盤１の裏面に伝わるのを防止できる。すなわち、遊技盤１の製造時において遊技釘５００を貫通孔に打ち込んだ場合、遊技釘５００の先端部５０３が遊技盤１の裏面まで突き抜けてしまうこともあるが、遊技盤（本体）に遊技釘５００を植設した状態で保管する場合、複数の遊技盤１を背合わせで重ねて保管すると裏面に突き出た遊技釘５００で重なった遊技盤１を傷つけてしまい画像の見栄えを悪くしてしまう。しかしながら、本発明のように先端部５０３を曲面形状に構成することで、仮に遊技釘５００の先端部が遊技盤１の裏面まで突き抜けても保管時に他の遊技盤１を傷つけることを防止できる。また、静電気（静電荷）は曲率半径が小さく尖っている所ほど密度が高くなり、そこから放電される可能性が高くなるが、本発明のように先端部５０３を曲面形状に構成することで、静電気が遊技盤１の裏面に伝わる可能性を低くすることができる。
【００９４】
また、貫通孔（打込穴１ｃ）に対する遊技釘５１０の打ち込み深さを規制する打込規制部５０６を遊技釘５１０に形成している。
【００９５】
したがって、貫通孔に対する遊技釘５１０の打ち込み深さを規制する打込規制部５０６を遊技釘５１０に形成したので、遊技釘５１０の打ち込み深さを適正位置にすることができ、遊技釘５１０が遊技盤１の裏面に突き抜けたり、遊技釘５１０の遊技領域での高さが異なってしまったりする等の不具合を防止できる。また、遊技釘５１０の先端部５０３と電気部品との間に一定の距離を確保することができるので、静電気が遊技盤１の裏面に伝わる可能性を低くすることができる。
【００９６】
また、螺旋部５０２に、遊技釘５００の円周方向に沿ってリング状の溝部５０５を形成している。
【００９７】
したがって、螺旋部５０２に、遊技釘５００の円周方向に沿ってリング状の溝部５０５を形成したので、遊技釘５００の保持力が極めて高くなり、遊技中に遊技球の衝突等により遊技釘５００が脱落してしまう等を防止できる。
【００９８】
なお、本発明の遊技機１００は、遊技機１００として、前記実施の形態に示されるようなパチンコ遊技機に限られるものではなく、例えば、その他のパチンコ遊技機、アレンジボール遊技機、雀球遊技機などの遊技釘５００（５１０）を使用する全ての遊技機に適用可能である。
【００９９】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】本発明を適用した一実施の形態の構成を示す遊技機の前面側から見た斜視図であって、透明部材保持枠を開放した状態を示す図である。
【図２】遊技盤を取り外した遊技機の前面側から見た斜視図であって、透明部材保持枠を開放した状態を示す図である。
【図３】遊技盤の裏面側を示す斜視図である。
【図４】遊技盤の裏面側から見た分解斜視図である。
【図５】収納ケースの後面壁を取り外した状態の役物装置の裏面側から見た斜視図であって、可動部材が収納位置にある状態を示す図である。
【図６】収納ケースの後面壁を取り外した状態の役物装置の裏面側から見た斜視図であって、可動部材が現出位置にある状態を示す図である。
【図７】遊技機の役物装置が設けられた部分における側部断面図である。
【図８】遊技盤本体に遊技釘が打ち込まれた状態を模式的に示す図である。
【図９】変形例にかかる遊技釘を示す図である。
【符号の説明】
【０１０１】
１        遊技盤
１ａ      第１遊技領域（遊技領域）
１ｂ      遊技盤本体
１ｃ      打込穴（貫通孔）
２        一般入賞口（遊技装置）
３        普通変動入賞装置（遊技装置）
４        特別変動入賞装置（遊技装置）
６        普図始動ゲート（遊技装置）
６ａ      ゲートセンサ（電気部品）
１０      始動入賞口（遊技装置）
４０      役物装置（遊技装置）
４４      モータ（電気部品）
４７      制御基板（電気部品）
１００    遊技機
１７０    表示ユニット（画像表示装置）
５００    遊技釘
５０１    本体部
５０２    螺旋部
５０２ａ  溝
５０３    先端部
５０３ａ  絶縁手段
５０５    溝部
５０６    打込規制部
５１０    遊技釘
【図１】
0004787849.tif 000002
【図２】
0004787849.tif 000003
【図３】
0004787849.tif 000004
【図４】
0004787849.tif 000005
【図５】
0004787849.tif 000006
【図６】
0004787849.tif 000007
【図７】
0004787849.tif 000008
【図８】
0004787849.tif 000009
【図９】
0004787849.tif 000010